(57)【要約】    【課題】  複数の小木片を接合して成る板状部材から挽き割って得られる白鍵の環境変化による変形を抑制する。    【解決手段】  複数の小木片１０を不図示の接着剤で鍵並び方向に接合して板状部材ＢＤを製造し、これを挽き割って、２オクターブ分の白鍵ｗｋ及び黒鍵ｂｋを得る。白鍵ｗｋＣ、ｗｋＦ、ｗｋＢにおいて、接合線Ｌは黒鍵前方領域Ｓ２にのみ存在し、長手領域Ｓ３には存在しない。これ以外の白鍵においては、全領域に亘って接合線Ｌが存在しない。板状部材ＢＤの製造に際し、各小木片１０の幅寸法は、接合線Ｌが上記のような位置にくるように設定される。【選択図】    図１
2005195796.tif 000002
【特許請求の範囲】
【請求項１】
複数の小木片を鍵並び方向に略相当する方向に接合して成る板状部材を挽き割って得られる複数の白鍵を備える鍵盤装置であって、
前記複数の白鍵のいずれについても、各白鍵の長手方向における、少なくとも、鍵支点位置から黒鍵逃げ部の奏者側端位置までの範囲においては、前記複数の小木片同士の接合線が存在しないことを特徴とする鍵盤装置。
【請求項２】
前記複数の小木片同士の接合線は、前記複数の白鍵のうち特定の音名鍵の、平面視で黒鍵逃げ部より奏者方向の領域にのみ存在することを特徴とする請求項１記載の鍵盤装置。
【請求項３】
前記特定の音名鍵は、Ｃ鍵、Ｅ鍵、Ｆ鍵及びＢ鍵の少なくとも１つであることを特徴とする請求項２記載の鍵盤装置。
【請求項４】
複数の小木片を鍵並び方向に略相当する方向に接合して板状部材を構成し、該板状部材を挽き割って複数の白鍵を得る鍵製造方法において、
前記複数の小木片を接合する際、前記板状部材の範囲のうち、少なくとも、各鍵の長手方向における鍵支点となる位置から黒鍵逃げ部の奏者側端となる位置までの範囲においては、前記複数の小木片同士の接合線が、前記黒鍵逃げ部となる領域にのみ存在するように、前記接合線の位置を設定したことを特徴とする鍵製造方法。
【発明の詳細な説明】
【技術分野】
【０００１】
本発明は、複数の小木片を接合した板状部材から挽き割って鍵を得るようにした鍵盤装置及び鍵製造方法に関する。
【背景技術】
【０００２】
従来、鍵盤装置の鍵を製造する際、平板状部材を挽き割ることで各鍵を取り出すことが行われており、下記特許文献１〜３に例示されるように、複数のムク材をフィンガージョイントで接合した平板状部材から各鍵を取り出すようにした鍵製造手法も知られている。
【０００３】
また、１台の鍵盤装置の全鍵分を平板状部材から取り出すことは、コスト、材料取り、木目方向等の制約により事実上きわめて困難である。そのため、平板状部材を、１枚のムク材ではなく、複数の小木片を接着剤等で鍵並び方向に接合する（接ぐ）ことで構成し、必要な面積を確保して、その後、個々の鍵に対応する挽き割りを行うことで各鍵を得るというような製造手法も可能である。
【特許文献１】特開２０００−１０５５２号公報
【特許文献２】特開２０００−２００５１号公報
【特許文献３】特開２０００−２９４５７号公報
【発明の開示】
【発明が解決しようとする課題】
【０００４】
しかしながら、上記のように、複数の小木片を接着剤等で鍵並び方向に接合して平板状部材を構成した場合は、小木片同士の接合線が存在する鍵が必ず生じることになる。例えば、図２（ｃ）に示すように、小木片１と小木片２との接合線Ｌが鍵の長手方向のほぼ全体に亘って存在する場合は、湿度や温度等の環境変化による両小木片１、２の伸縮特性の差により、バイメタルのように、左右いずれかの方向に湾曲してしまうことがあり得る。湾曲が生じると、見栄えが悪くなる。特に、白鍵は黒鍵に比し全長が長くて先端部での変位が大きくなりがちであり、しかも、鍵盤装置に組み込まれたとき、隣接する白鍵との間のクリアランスが小さいため、僅かな湾曲でも奏者に視認され、外観に悪影響を及ぼしやすいという問題があった。
【０００５】
本発明は上記従来技術の問題を解決するためになされたものであり、その目的は、複数の小木片を接合して成る板状部材から挽き割って得られる白鍵の環境変化による変形を抑制することができる鍵盤装置及び鍵製造方法を提供することにある。
【課題を解決するための手段】
【０００６】
上記目的を達成するために本発明の請求項１の鍵盤装置は、複数の小木片（１０）を鍵並び方向に略相当する方向に接合して成る板状部材（ＢＤ）を挽き割って得られる複数の白鍵を備える鍵盤装置であって、前記複数の白鍵のいずれについても、各白鍵の長手方向における、少なくとも、鍵支点位置（Ｐ０）から黒鍵逃げ部の奏者側端位置（Ｐ１）までの範囲（ＡＲ１）においては、前記複数の小木片同士の接合線（Ｌ）が存在しないことを特徴とする。
【０００７】
この構成によれば、少なくとも、各白鍵の、鍵支点位置（Ｐ０）から黒鍵逃げ部の奏者側端位置（Ｐ１）までの範囲（ＡＲ１）においては、小木片同士の接合線（Ｌ）が存在しないので、たとえ白鍵の他の領域に接合線が存在し、且つ隣接する小木片の伸縮特性が異なっていたとしても、湿度等の環境変化が変化した場合に白鍵が過大に変形することが回避される。
【０００８】
好ましくは、請求項１の構成において、前記複数の小木片同士の接合線は、前記複数の白鍵のうち特定の音名鍵の、平面視で黒鍵逃げ部より奏者方向の領域（Ｓ２）にのみ存在する（請求項２）。さらに好ましくは、前記特定の音名鍵は、Ｃ鍵、Ｅ鍵、Ｆ鍵及びＢ鍵の少なくとも１つである（請求項３）。
【０００９】
上記目的を達成するために本発明の請求項４の鍵製造方法は、複数の小木片を鍵並び方向に略相当する方向に接合して板状部材を構成し、該板状部材を挽き割って複数の白鍵を得る鍵製造方法において、前記複数の小木片を接合する際、前記板状部材の範囲のうち、少なくとも、各鍵の長手方向における鍵支点となる位置（Ｐ０）から黒鍵逃げ部の奏者側端となる位置（Ｐ１）までの範囲（ＡＲ１）においては、前記複数の小木片同士の接合線（Ｌ）が、前記黒鍵逃げ部となる領域（Ｓ１）にのみ存在するように、前記接合線の位置を設定したことを特徴とする。
【００１０】
この構成によれば、板状部材の、鍵支点位置（Ｐ０）から黒鍵逃げ部の奏者側端位置（Ｐ１）までの範囲（ＡＲ１）においては、接合線Ｌが、黒鍵逃げ部となる領域（Ｓ１）にのみ存在するので、各白鍵の上記範囲（ＡＲ１）に相当する範囲においては接合線（Ｌ）が存在することがない。よって、請求項１と同様の作用効果を奏する。なお、上記括弧内は一例である。
【発明の効果】
【００１１】
本発明によれば、複数の小木片を接合して成る板状部材から挽き割って得られる白鍵の環境変化による変形を抑制することができる。
【発明を実施するための最良の形態】
【００１２】
以下、本発明の実施の形態を図面を参照して説明する。
【００１３】
図１は、本発明の一実施の形態に係る鍵盤装置に備えられる鍵の製造手法を示す、複数の小木片及び板状部材の平面図である。
【００１４】
この板状部材ＢＤは、複数の小木片１０（例えば１０（１）〜（６））を、不図示の接着剤で鍵並び方向に接合し、２オクターブ分の長さに延ばして、２オクターブ分の白鍵ｗｋ及び黒鍵ｂｋを取り出せるように構成される。個々の小木片１０はムク材の板である。各鍵は、板状部材ＢＤを丸鋸等で挽き割ることで取り出される。板状部材ＢＤから得られた鍵は、同一の鍵盤装置（図示せず）に組み付けられる。
【００１５】
板状部材ＢＤにおいて、挽き割りの位置は予め決まっており、下記に説明するように、隣接する小木片１０同士の接合線Ｌ（Ｌ１〜Ｌ７）の位置は、この挽き割りの位置を想定して設定される。なお、接合線Ｌの位置と挽き割りの位置との相対的な関係が重要であるため、接合線Ｌの位置が決まってから、すなわち板状部材ＢＤが完成してから、接合線Ｌの位置に応じて挽き割りの位置を決定するようにしてもよい。
【００１６】
具体的には、各接合線Ｌは、板状部材ＢＤにおいて、音名Ｃ＃、Ｆ＃、Ｇ＃の３種類の黒鍵（黒鍵ｂｋＣ＃、ｂｋＦ＃、ｂｋＧ＃）になる領域にのみ位置するように設定される。小木片１０（１）、１０（２）、１０（３）と小木片１０（４）、１０（５）、１０（６）とは、それぞれ略同じ幅に形成されており、従って、各接合線Ｌは、鍵並び方向において規則的な位置に現れる。
【００１７】
図２（ａ）は、板状部材ＢＤから取り出された片持ち構造の１つの白鍵の平面図であり、白鍵ｗｋＣが例示されている。
【００１８】
図１及び図２（ａ）において、Ｐ０は鍵支点位置を示し、本実施の形態では鍵後端位置にほぼ一致している。各白鍵ｗｋは、不図示の鍵盤装置に組み付けられたとき、この鍵支点位置Ｐ０を中心に奏者側端部（先端部）が上下方向に回動自在にされる。
【００１９】
平面視において、図２（ａ）に示す領域Ｓ１は、黒鍵ｂｋＣ＃の位置に相当する「黒鍵逃げ部領域」である。領域Ｓ２は、白鍵ｗｋＣの領域のうち、黒鍵逃げ部領域Ｓ１より奏者方向の領域である「黒鍵前方領域」である。領域Ｓ３は、白鍵ｗｋＣの全領域のうち、黒鍵前方領域Ｓ２を除いた領域である「長手領域」である。図１及び図２（ａ）において、Ｐ１は、白鍵ｗｋにおける黒鍵逃げ部領域Ｓ１の奏者側端位置を示し、Ｐ２は板状部材ＢＤ乃至各鍵の先端位置を示す。領域Ｓ３ａは、長手領域Ｓ３のうち、鍵支点位置Ｐ０から黒鍵逃げ部奏者側端位置Ｐ１までの範囲ＡＲ１における領域である。範囲ＡＲ２は、鍵支点位置Ｐ０から先端位置Ｐ２までの範囲である。以下、他の白鍵ｗｋに関する領域についても同様の呼称を用いる。
【００２０】
図２（ａ）に示すように、白鍵ｗｋＣにおいて、接合線Ｌ（Ｌ４）は、黒鍵前方領域Ｓ２のみを通り、長手領域Ｓ３を全く通っていない。白鍵ｗｋＣは、接合線Ｌを境とした隣接する小木片１０（例えば１０（３）と１０（４））間の伸縮特性の相違から、環境変化によって鍵並び方向の変形が生じ得るが、接合線Ｌの存在範囲が、短い黒鍵前方領域Ｓ２のみとなっていることから、白鍵ｗｋＣの変形が少なくて済むようになっている。
【００２１】
このことは、白鍵ｗｋＦ、白鍵ｗｋＢでも同様である（図１参照）。一方、これら白鍵ｗｋＣ、ｗｋＦ、ｗｋＢ以外の白鍵においては、全領域に亘って接合線Ｌが存在しないので、変形のおそれがない。また、黒鍵ｂｋＣ＃、ｂｋＦ＃、ｂｋＧ＃については、全長に亘って接合線Ｌが存在することになるが、白鍵に比し全長が短いことから変形が少なく、外観に与える影響も小さい。
【００２２】
このように、各小木片１０の幅寸法は、接合線Ｌが、挽き割り位置に対して上記のような位置関係となるように設定される。
【００２３】
本実施の形態によれば、板状部材ＢＤの製造に際し、各白鍵ｗｋにおいて、接合線Ｌが存在しないかまたは存在しても黒鍵前方領域Ｓ２にのみ存在し、長手領域Ｓ３には存在しないように、接合線Ｌの位置を設定したので、環境変化による各白鍵ｗｋの変形を抑制することができる。
【００２４】
また、接合線Ｌは、白鍵ｗｋＣ、ｗｋＦ、ｗｋＢという特定の音名鍵の黒鍵前方領域Ｓ２の略同じ位置に規則的に現れるようにしたので、板状部材ＢＤの製造に際し、鍵並び方向における接合線Ｌの位置合わせが容易である。すなわち、これら白鍵ｗｋＣ、ｗｋＦ、ｗｋＢは、Ｄ鍵やＧ鍵等と異なり平面視Ｌ字型鍵であり、黒鍵前方領域Ｓ２が片側にのみあってその領域の鍵並び方向の幅が長いので、この幅広領域に接合線Ｌを位置させることは、多少の誤差が許されるため比較的容易である。よって、各小木片１０を所定幅に形成して接合する際、接合線Ｌの位置合わせが容易である。
【００２５】
なお、接合線Ｌの位置合わせを容易にする観点からは、白鍵ｗｋＣ、ｗｋＦ、ｗｋＢだけでなく、音名Ｅの白鍵ｗｋＥにも接合線Ｌが存在してもよい。結局、白鍵ｗｋＣ、ｗｋＥ、ｗｋＦ、ｗｋＢの少なくとも１つに接合線Ｌが規則的に現れるように接合線Ｌを設定すればよい。
【００２６】
また、接合線Ｌを規則的に登場させる観点からは、１枚の板状部材ＢＤはオクターブ単位で構成するのが得策であるが、板状部材ＢＤは、２オクターブ分に限定されるものでなく、所定の鍵数単位で構成してもよい。
【００２７】
ところで、本実施の形態では、白鍵ｗｋについて、長手領域Ｓ３の全長に亘って接合線Ｌが存在しない構成を例示したが、白鍵ｗｋの過大な変形だけを最低限回避する観点からは、１枚の板状部材ＢＤから取り出される白鍵ｗｋのうち、領域Ｓ３ａに接合線Ｌが存在する白鍵ｗｋが、１つも存在しないように構成すればよい。また、このことは、片持ち構造でなく、図２（ｂ）に示すシーソー構造の白鍵のように、鍵長手方向中間位置に鍵支点Ｐ０があるものにおいても同様である。すなわち、少なくとも、長手領域Ｓ３のうち、鍵支点位置Ｐ０から黒鍵逃げ部奏者側端位置Ｐ１までの範囲ＡＲ１における領域Ｓ３ａに接合線Ｌが存在しなければよく、長手領域Ｓ３のうち領域Ｓ３ａ以外の領域に接合線Ｌが存在したとしても、外観への影響は小さい。
【００２８】
なぜなら、通常、鍵支点位置Ｐ０近傍より後方は操作パネル等で覆われ、鍵支点位置Ｐ０より後方部分が非見え懸かり部となるため、その変形が外観として認識されにくく、しかも鍵間のクリアランスを大きくとる等の対策が可能であり、また、黒鍵逃げ部奏者側端位置Ｐ１より前方は、上述したように短いので、接合線Ｌが存在しても変形量にあまり寄与しないからである。また、同様の観点から、Ｄ鍵等の、Ｌ字型鍵以外の白鍵ｗｋにおいても、領域Ｓ３ａ以外の領域であれば、接合線Ｌが通っていてもよい。さらには、後半部が鍵並び方向に曲がっている長尺の白鍵についても、同様の考え方で、少なくとも領域Ｓ３ａに接合線Ｌが存在しないようにすればよい。
【００２９】
板状部材ＢＤの製造の際に、上記のような接合線Ｌの位置設定を実現するためには、結局、板状部材ＢＤにおいて、少なくとも、鍵支点位置Ｐ０から黒鍵逃げ部奏者側端位置Ｐ１までの範囲においては、接合線Ｌが、黒鍵逃げ部領域Ｓ１となるべき領域にのみ位置するように、各接合線Ｌの位置を設定すればよい。なお、このような条件を満たすならば、接合線Ｌは必ずしも鍵長手方向に対して平行でなくてもよく、鍵長手方向に対して多少斜めであってもよいし、多少曲がっていてもよい。
【図面の簡単な説明】
【００３０】
【図１】本発明の一実施の形態に係る鍵盤装置に備えられる鍵の製造手法を示す、複数の小木片及び板状部材の平面図である。
【図２】本実施の形態における板状部材から取り出された片持ち構造の１つの白鍵の平面図（図（ａ））、シーソー構造の１つの白鍵の平面図（図（ｂ））、及び従来の白鍵の平面図である。
【符号の説明】
【００３１】
１０  小木片、  ＢＤ  板状部材、  ｗｋ  白鍵、  Ｌ  接合線、  Ｓ１  黒鍵逃げ部領域（黒鍵逃げ部となる領域）、  Ｓ２  黒鍵前方領域、  Ｓ３  長手領域、  Ｓ３ａ  領域、  Ｐ０  鍵支点位置、  Ｐ１  黒鍵逃げ部奏者側端位置（黒鍵逃げ部の奏者側端位置）、  ＡＲ１  範囲
【図１】
2005195796.tif 000003
【図２】
2005195796.tif 000004